(57)【特許請求の範囲】
【請求項１】
メモリにバックアップ用の電池が接続され、かつメモリと電源との間に電流の逆流防止用トランジスタが挿入された移動体通信端末において、
第１の制御信号により制御され、メモリの待機状態での第１の電流値を前記電源から前記メモリに供給するように前記逆流防止用トランジスタを制御する第１の制御手段と、
ＣＰＵが待機状態から動作状態に遷移すると該ＣＰＵから出力され、ＣＰＵが動作状態から待機状態に遷移すると出力が停止される第２の制御信号により制御され、前記第１の電流値より大きい前記メモリの動作状態での第２の電流値を前記電源から前記メモリに供給できるように前記逆流防止用トランジスタを制御する第２の制御手段と
を具備することを特徴とする移動体通信端末。
【請求項２】
待ち受け時、基地局からの制御メッセージを受信し、受信完了となり、受信完了の割り込み信号がＣＰＵに供給されると、該割り込み信号をトリガとしてＣＰＵから第２の制御信号が出力されることを特徴とする請求項１に記載の移動体通信端末。
【請求項３】
第２の制御信号は、キー操作に伴い、あるいは事前の設定に従ってＣＰＵが待機状態から動作状態に遷移すると該ＣＰＵから出力されることを特徴とする請求項１に記載の移動体通信端末。
【請求項４】
メモリはＳＲＡＭであることを特徴とする請求項１に記載の移動体通信端末。
【発明の詳細な説明】
【０００１】
【発明の属する技術分野】
本発明は、ＰＨＳ（パーソナルハンディフォンシステム）電話機あるいは携帯電話機などの移動体通信端末に係り、特にメモリの電源制御回路に関する。
【０００２】
【従来の技術】
移動体通信端末においてはＳＲＡＭ（Ｓｔａｔｉｃ  Ｒａｎｄｏｍ  Ａｃｃｅｓｓ  Ｍｅｍｏｒｙ）を一時記憶メモリとして使用しており、このＳＲＡＭに電話帳登録データや受信文字メッセージデータなどの各種のデータが記憶される。このＳＲＡＭは、移動体通信端末の電源オフ時にもデータを保持できるように電源が電池でバックアップされる。
【０００３】
図４は、ＳＲＡＭの電源を電池でバックアップした場合の従来の電源制御回路を示す回路図である。この図において、１１はＳＲＡＭで、その電源端子１１ａにはバックアップ用の電池１２が接続される。また、ＳＲＡＭ１１の電源端子１１ａと移動体通信端末の電源との間には、バックアップ用電池１２からの電流が電源側に逆流しないようにＰＮＰトランジスタ１３が挿入される。このトランジスタ１３のベースと接地間には抵抗１４とＮＰＮトランジスタ１５が直列接続される。ＮＰＮトランジスタ１５のベースにはシステム制御信号が供給される。
【０００４】
ここで、システム制御信号は、移動体通信端末の電源のオン、オフに係わらず、該電源の電圧源である電池の電圧が一定値以上を有すれば常にＨレベルを維持する信号である。したがって、ＮＰＮトランジスタ１５は、移動体通信端末の電源のオン、オフに係わらず、該電源の電圧源である電池の電圧が一定値以上を有すれば、前記システム制御信号により常にオンされる状態にある。この状態において、移動体電話機の電源がオンされると、前記トランジスタ１５を介してトランジスタ１３にベース電流Ｉｂが流れ、トランジスタ１３がオンするので、このトランジスタ１３を介してＳＲＡＭ１１に電源電流Ｉｓｒａｍが供給される。一方、電源がオフされると、トランジスタ１３のベース電流Ｉｂが零になり、トランジスタ１３がオフし、このトランジスタ１３を介してのＳＲＡＭ１１への電源電流の供給が停止される。しかし、このときは電池１２からＳＲＡＭ１１に電源電流が供給され、ＳＲＡＭ１１の電源がバックアップされる。このとき、電池１２から移動体通信端末の電源に電流が逆流することは、トランジスタ１３により防止される。
【０００５】
ところで、移動体通信端末においては、該端末全体を制御する図示しないＣＰＵと対応して前記ＳＲＡＭが動作する。すなわち、ＣＰＵが待機状態にあればＳＲＡＭも待機状態にあり、ＣＰＵが動作状態になればＳＲＡＭも動作状態になる。
【０００６】
また、ＳＲＡＭは、待機状態においては０．２μＡ程度の電源電流しか必要としないが、動作状態においては最大で３０ｍＡの電源電流を必要とする。図４の制御回路においては、電源オン時、電源からトランジスタ１３を介してＳＲＡＭ１１に電源電流Ｉｓｒａｍを供給するとき、ＳＲＡＭ１１の待機状態、動作状態に係わらず常にＳＲＡＭ１１に動作状態での最大電流を流せるようにトランジスタ１３のベース電流Ｉｂを設定している。
【０００７】
【発明が解決しようとする課題】
しかしながら、ＳＲＡＭ１１の待機状態、動作状態に係わらず常にＳＲＡＭ１１に動作状態での最大電流を流せるようにトランジスタ１３のベース電流Ｉｂを設定した場合は、該ベース電流による電源の電流消費が大きいという問題点があった。特に移動体通信端末は、リチウムイオン電池などの電池を電源としているため、前記ベース電流Ｉｂによる大きな電流消費は無視できない問題点であり、待ち受け時間が短くなる原因となる。
【０００８】
そこで、図５に示すように、ＮＰＮトランジスタ１５（すなわちＰＮＰトランジスタ１３のベース電流Ｉｂ）をＴＣＸＯ信号でオン、オフ制御して、ベース電流Ｉｂが流れる時間を短縮することも考えられている。ここで、ＴＣＸＯ信号は、移動体通信端末のＲＦ回路（送受信回路部）とＣＰＵとを制御する信号で、例えば待ち受け時は、図６に示すように、Ｔ１で“１”に立ち上がって、Ｔ１でＲＦ回路の動作を開始させ、続くＴ２で基地局からの制御メッセージをＲＦ回路で受信させ、Ｔ３の受信完了でＣＰＵの動作を開始させて基地局からの制御メッセージをＣＰＵで分析させ、自分に関係のない制御メッセージであればＴ４で“０”に立ち下がってＴ４でＣＰＵの動作を停止させて、次の受信までＣＰＵを待機状態とする。前記分析で自分に関係のある制御メッセージの場合は、制御メッセージに応じた動作を行わせる。
【０００９】
しかし、上記のようなＴＣＸＯ信号でＮＰＮトランジスタ１５（すなわちＰＮＰトランジスタ１３のベース電流Ｉｂ）をオン、オフ制御した場合は、ＲＦ回路のみが動作する時間であって、ＣＰＵが動作していない（したがって、ＳＲＡＭ１１も動作状態にない）Ｔ１〜Ｔ３の時間においてもＮＰＮトランジスタ１５がオンしてベース電流Ｉｂ（ＳＲＡＭ１１に最大動作電流まで電源電流を供給するためのベース電流）がトランジスタ１３に流れるため、電源の電流消費の削減が不十分であった。また、ＴＣＸＯ信号が“０”に立下がってトランジスタ１５，１３がオフしたときは、電源がオンにも係わらず、バックアップ用の電池１２からＳＲＡＭ１１に電源電流が供給されるため、小容量のバックアップ用電池１２の負担が大きいという問題点があった。
【００１０】
本発明は上記の点に鑑みなされたもので、ＣＰＵと対応して動作するメモリの電源制御回路での電流消費を削減して例えば待ち受け時間を延ばすことができ、しかもバックアップ用電池の負担を軽減できる移動体通信端末を提供することを目的とする。
【００１１】
【課題を解決するための手段】
本発明の移動体通信端末は、メモリにバックアップ用の電池が接続され、かつメモリと電源との間に電流の逆流防止用トランジスタが挿入された移動体通信端末において、第１の制御信号により制御され、メモリの待機状態での第１の電流値を前記電源から前記メモリに供給するように前記逆流防止用トランジスタを制御する第１の制御手段と、ＣＰＵが待機状態から動作状態に遷移すると該ＣＰＵから出力され、ＣＰＵが動作状態から待機状態に遷移すると出力が停止される第２の制御信号により制御され、前記第１の電流値より大きい前記メモリの動作状態での第２の電流値を前記電源から前記メモリに供給できるように前記逆流防止用トランジスタを制御する第２の制御手段とを具備することを特徴とする。
【００１２】
この移動体通信端末において、より詳細には、待ち受け時、基地局からの制御メッセージを受信し、受信完了となり、受信完了の割り込み信号がＣＰＵに供給されると、該割り込み信号をトリガとしてＣＰＵから第２の制御信号が出力される。
【００１３】
さらに、第２の制御信号は、キー操作に伴い、あるいは事前の設定に従ってＣＰＵが待機状態から動作状態に遷移すると該ＣＰＵから出力される。メモリは具体的にはＳＲＡＭである。
【００１４】
【発明の実施の形態】
次に添付図面を参照して本発明による移動体通信端末の実施の形態を詳細に説明する。図３は本発明の移動体通信端末の実施の形態を示すブロック図である。この図における送受信回路部（ＲＦ回路）２１はデジタル信号処理（ＤＳＰ）回路３５を介してＣＰＵ（マイクロコンピュータ）２２により制御され送受信動作を行う。ＣＰＵ２２には音声処理部２３を介してスピーカ２４とマイク２５が接続され、前記ＲＦ回路２１によりアンテナ２６を介して送信される音声信号はマイク２５から入力される。一方、アンテナ２６とＲＦ回路２１で受信され復調された音声信号はスピーカ２４で再生される。前記ＣＰＵ２２はＲＯＭ２７に書かれたプログラムと、操作キー２８およびＲＦ回路２１からの信号ならびに一時記憶メモリとしてのＳＲＡＭ２９からの情報に従い動作し、ＲＦ回路２１、ＬＣＤドライバ３０およびバイブレータ３３を制御する。また、ＳＲＡＭ２９には、ＣＰＵ２２により各種の情報が記憶される。このＳＲＡＭ２９およびＲＯＭ２７はＣＰＵ２２に内蔵されていても、あるいは外付けであってもよい。ＬＣＤドライバ３０はＣＰＵ２２により制御され、フォントＲＯＭ３１の任意のフォントをＬＣＤ３２の指定した場所に表示させる。バイブレータ３３はＣＰＵ２２により制御され、着信を振動で報知する。３４はリチウムイオン電池などからなる電源で、上記各部に電源電流を供給する。
【００１５】
図１は、上記電源３４からＳＲＡＭ２９に電源電流を供給する電源制御回路を示す回路図である。この図において、ＳＲＡＭ２９の電源端子２９ａにはバックアップ用の電池４１が接続される。また、ＳＲＡＭ２９の電源端子２９ａと電源３４との間には、バックアップ用電池４１からの電流が電源３４側に逆流しないようにＰＮＰトランジスタ４２が挿入される。この逆流防止トランジスタ４２のベースと接地間には抵抗４３とＮＰＮ型の第１の制御トランジスタ４４が直列接続される。第１の制御トランジスタ４４のベースには、第１の制御信号として、電源３４のオン、オフに係わらず、該電源３４の電圧源である電池の電圧が一定値以上を有すれば常にＨレベルを維持するシステム制御信号が供給される。さらに、前記逆流防止トランジスタ４２のベースと接地間には、抵抗４５とＮＰＮ型の第２の制御トランジスタ４６が直列接続される。第２の制御トランジスタ４６のベースには、ＣＰＵ２２から第２の制御信号が供給される。この第２の制御信号は、ＣＰＵ２２が待機状態から動作状態に遷移すると出力され、ＣＰＵ２２が動作状態から待機状態に遷移すると出力が停止される。
【００１６】
この第２の制御信号についてより詳細に説明する。待ち受け時は、ＲＦ回路２１が基地局からの制御メッセージを図２（ａ）に示すように受信して、受信完了になると、図２（ｃ）のイに示すように受信完了の割り込み信号がデジタル信号処理回路３５からＣＰＵ２２に出力されて該ＣＰＵ２２が動作し前記制御メッセージの分析を開始するが、前記割り込み信号をトリガとしてＣＰＵ２２の動作開始に同期して図２（ｄ）に示すように前記第２の制御信号が出力される。前記分析の結果、制御メッセージが自分に関係のない制御メッセージであれば、ＣＰＵ２２は、前記分析後、直ちに動作状態から待機状態に遷移するが、すると同時に前記第２の制御信号の出力も図２（ｄ）に示すように停止される。一方、制御メッセージが自分に対する着呼など自分に関係のある制御メッセージの場合は、分析の後ＣＰＵ２２が動作し続けて所望の電話機動作となるが、そのときは第２の制御信号も出力し続けて、その後ＣＰＵ２２が待機状態に戻ったときに第２の制御信号の出力が停止する。また、図３の操作キー２８の操作に伴いＣＰＵ２２が動作するときもＣＰＵ２２の動作開始に同期して第２の制御信号がＣＰＵ２２から出力され、ＣＰＵ２２が動作状態から待機状態に戻ると第２の制御信号の出力が停止される。さらに、事前に設定した所定の時刻にアラームを鳴らす、またはメッセージを図３のＬＣＤ３２に表示させる、または電源をオンするなどのＲＴＣ（Ｒｅａｌ  Ｔｉｍｅ  Ｃｌｏｃｋ）機能が設定されていて、その設定に従い所定の時刻に自動的にＣＰＵ２２が動作状態になるときも、ＣＰＵ２２の動作開始と同期して第２の制御信号がＣＰＵ２２から出力され、ＣＰＵ２２が待機状態に戻ると第２の制御信号の出力が停止される。その他のときも、ＣＰＵ２２が待機状態から動作状態に遷移すると第２の制御信号がＣＰＵ２２から出力され、ＣＰＵ２２が動作状態から待機状態に遷移すると第２の制御信号の出力が停止される。
【００１７】
図１の電源制御回路においては、電源３４がオン状態で、ＣＰＵ２２およびＳＲＡＭ２９が待機状態にあるときは、システム制御信号で制御される第１の制御トランジスタ４４を介してトランジスタ４２に０．００１μＡ程度のベース電流Ｉｂ１が流れる。その結果、トランジスタ４２の電流増幅率ｈｆｅを２００程度とすると、トランジスタ４２のエミッタ・コレクタ間には、電源３４から、ＳＲＡＭ２９の待機状態での電源電流に相当する０．２μＡ程度（コレクタ電流Ｉｃ（＝Ｉｓｒａｍ）＝Ｉｂ×ｈｆｅ）の電流が流れ、この電流がＳＲＡＭ２９に待機状態での電源電流Ｉｓｒａｍとして供給される。このとき、電源３４からＳＲＡＭ２９に電流が供給されるので、バックアップ電池４１の負担は零となる。
【００１８】
次に、ＣＰＵ２２およびＳＲＡＭ２９が待機状態から動作状態になると、ＣＰＵ２２から第２の制御信号が出力されて、この第２の制御信号により第２の制御トランジスタ４６がオンし、この第２の制御トランジスタ４６を介して０．１５μＡ程度のベース電流Ｉｂ２がトランジスタ４２に流れる。その結果、トランジスタ４２は、ＳＲＡＭ２９の最大動作電流（３０ｍＡ程度）まで電流をエミッタ・コレクタ間に流せるように制御され、このトランジスタ４２を介してＳＲＡＭ２９に最大動作電流まで電源３４から電源電流Ｉｓｒａｍを供給できる。このとき、トランジスタ４２のベースには前記ベース電流Ｉｂ１も加算されて流れるが、ベース電流Ｉｂ１とＩｂ２の大きさの違いにより、トランジスタ４２の動作状態はベース電流Ｉｂ２によって決まる。ベース電流Ｉｂ１，Ｉｂ２の値は、抵抗４３，４５の値、およびトランジスタ４４，４６のベース電流値で決定される。
【００１９】
その後、ＣＰＵ２２およびＳＲＡＭ２９が動作状態から待機状態に戻ると、ＣＰＵ２２からの第２の制御信号の出力が停止されるので第２の制御トランジスタ４６がオフし、ベース電流Ｉｂ２が零となる。したがって、トランジスタ４２のベース電流は再びベース電流Ｉｂ１のみとなり、その結果、ＳＲＡＭ２９には、再び電源３４からトランジスタ４２を介して０．２μＡ程度の電流が待機状態の電源電流として供給される。
【００２０】
一方、電源３４がオフされると、ＳＲＡＭ２９に対する電源３４からの電源電流の供給が断たれるが、この場合は、電池４１からＳＲＡＭ２９に電源電流が供給され、ＳＲＡＭ１１の電源がバックアップされる。このとき、電池４１から電源３４に電流が逆流することは、トランジスタ４２により防止される。
【００２１】
以上の動作説明から明らかなように、図１の電源制御回路によれば、第１の制御トランジスタ４４による第１の制御手段と、第２の制御トランジスタ４６による第２の制御手段とを設けることにより、ＳＲＡＭ２９に最大動作電流まで電源電流を流すためのベース電流（ベース電流Ｉｂ２）が流れる時間を短縮することができるとともに、待機状態においても電源３４から電源電流をＳＲＡＭ２９に供給できる。したがって、ベース電流による電源３４の電流消費を削減できるとともに、バックアップ用電池４１の負担を軽減できる。
【００２２】
特に、上記のように、ＣＰＵ２２およびＳＲＡＭ２９の動作状態に対応して第２の制御信号をＣＰＵ２２から出力して、この第２の制御信号で第２の制御トランジスタ４６を制御すれば、ＣＰＵ２２およびＳＲＡＭ２９の動作時のみの必要最小限しかベース電流Ｉｂ２が流れなくなるので、図５のＴＣＸＯ信号でスイチッグする場合に比較しても前記ベース電流の流れる時間を短くすることができ、このベース電流による電源の電流消費を削減できる。
【００２３】
この点を詳述すると、図５の回路では、ＣＰＵおよびＳＲＡＭが未だ動作していない図２（ｂ）のＴＣＸＯ信号の立ち上がり時点Ｔ１からベース電流（ＳＲＡＭに最大動作電流まで電源電流を流すためのベース電流）が流れるが、図１の本発明の回路においては、基地局からの制御メッセージの受信を完了して、ＣＰＵ２２が制御メッセージの分析を開始する時点Ｔｓ（すなわちＣＰＵ２２およびＳＲＡＭ２９が実際に動作を開始する時点）から前記ベース電流が流れるようになり、Ｔ１〜Ｔｓの間の無駄なベース電流を省略できる。その結果、ベース電流による電源の電流消費を削減でき、待ち受け時間を延ばすことができる。
【００２４】
さらに、図１の本発明の回路によれば、キー操作に伴い、あるいは事前の設定に従ってＣＰＵ２２およびＳＲＡＭ２９が動作するときなども、ＳＲＡＭ２９に最大動作電流まで電源電流を流すためのベース電流が流れる期間を、ＣＰＵ２２およびＳＲＡＭ２９の動作期間のみに最小化できる。
【００２５】
なお、図１において、４７はＴＣＸＯ信号発生回路であり、この回路で発生されたＴＣＸＯ信号はＲＦ回路２１およびＣＰＵ２２に供給され、これらを制御する。
【００２６】
また、上記の実施の形態では、メモリとしてＳＲＡＭを示したが、同様の電源電流の供給の仕方がされる他の種類のメモリであってもよい。
【００２７】
【発明の効果】
以上詳細に説明したように本発明の移動体通信端末によれば、ＣＰＵと対応して動作するメモリの電源制御回路での電流消費を削減して例えば待ち受け時間を延ばすことができ、しかもバックアップ用電池の負担を軽減できる。
【図面の簡単な説明】
【図１】本発明の移動体通信端末の実施の形態に使用される電源制御回路を示す回路図。
【図２】図１の電源制御回路の動作および効果を説明するための波形図。
【図３】本発明の移動体通信端末の実施の形態を示すブロック図。
【図４】従来の電源制御回路を示す回路図。
【図５】従来の他の電源制御回路を示す回路図。
【図６】図５の電源制御回路の動作を説明するための波形図。
【符号の説明】
２２  ＣＰＵ
２９  ＳＲＡＭ
３４  電源
４１  電池
４２  ＰＮＰトランジスタ
４３  抵抗
４４  第１の制御トランジスタ
４５  抵抗
４６  第２の制御トランジスタ
【図１】
0003679278.tif 000002
【図２】
0003679278.tif 000003
【図３】
0003679278.tif 000004
【図４】
0003679278.tif 000005
【図５】
0003679278.tif 000006
【図６】
0003679278.tif 000007